(57)【要約】【課題】香炉、香立てとしての機能を備え、かつ、香材及び灯火手段をケース内に収納しており、一組で簡便に香を焚くことができる携帯用香道具セットを提供すること。【解決手段】上下を開口した筒状本体と、この筒状本体の下端から稍上げ底状に配設された筒底と、当該筒状本体の上下端部にそれぞれ着脱自在な上蓋体及び下蓋体とを備え、前記筒底及び上下蓋体が陶器、磁器、金属器或は耐熱プラスチック等の耐熱性素材で形成した香道具ケースに、少なくともライター或はマッチ等の灯火具と香材とを出入れ自在に収納したこと。【選択図】図１
0003128001.tif 000002
【実用新案登録請求の範囲】
【請求項１】
上下を開口した筒状本体と、この筒状本体の下端から稍上げ底状に配設された筒底と、当該筒状本体の上下端部にそれぞれ着脱自在な上蓋体及び下蓋体とを備え、かつ、前記筒底及び上下蓋体を陶器、磁器、金属器或は耐熱プラスチック等の耐熱性素材で形成した香道具ケースに、少なくともライター或はマッチ等の灯火具と香材を出入れ自在に収納したことを特徴とする携帯用香道具セット。
【請求項２】
耐熱性素材で形成した香立てを、前記ケースに収納した請求項１の携帯用香道具セット。
【請求項３】
耐熱性素材の成形体で形成した香皿を、前記ケースに収納した請求項１又は２の携帯用香道具セット。
【請求項４】
コーン型香材を、これに合致するコーンカップ形状に成形された硬質のカップ材を被装して前記ケースに収納した請求項１〜３のいずれかの携帯用香道具セット。
【請求項５】
香材は、柔軟な紙、布、プラスチックフィルムなどにより形成した被包材に包んで前記ケースに収納した請求項１〜４のいずれかの携帯用香道具セット。
【考案の詳細な説明】
【技術分野】
【０００１】
本考案は、携帯用の香道具セットに関する。
【背景技術】
【０００２】
香席では、古くから多数の香道具を用いた香遊びが行われている。この香道具とは、聞香に際して使用する道具であるが、正式には香木を所要量に切り分けるための香割道具（香鉈、香剥など）や香を焚くための火道具（香匙、灰押など）等、合計すると一組でも相当点数に及ぶものである。
【０００３】
一方、伝統的な香道とは別に、雑貨として売られるようなトレイやスタンドを香炉、香立てとして利用し、居室や衣類などに香を焚きこめたり、或は、旅先の寝室で灯すなどしてお香は若者の間にも手軽に楽しまれている。このため、簡単に持ち運びできるコンパクトな香道具セットの需要が高い。
【０００４】
ところが、正式な香道具は高価でかつ総点数も多いため嵩張って持ち運びには不向きであり、一方、簡易なトレイやスタンドは簡易であるが故に離散して紛失しやすい。また、非喫煙者の殆どはライター等の灯火具を所持しないため、失念した場合においては旅先等でこれを入手しなければならず、いずれにしても従来の香道具セットを携帯して移動するには大きな不都合があった。
【考案の開示】
【考案が解決しようとする課題】
【０００５】
そこで本考案は上記のような事情に鑑み、香炉、香立てとしての機能を備え、かつ、香材及び灯火手段をケース内に収納しており、一組で簡便に香を焚くことができる携帯用香道具セットを提供することを課題とする。
【課題を解決するための手段】
【０００６】
上記課題を解決することを目的としてなされた本考案携帯用香道具セットの構成は、上下を開口した筒状本体と、この筒状本体の下端から稍上げ底状に配設された筒底と、当該筒状本体の上下端部にそれぞれ着脱自在な上蓋体及び下蓋体とを備え、かつ、前記筒底及び上下蓋体を陶器、磁器、金属器或は耐熱プラスチック等の耐熱性素材で形成した香道具ケースに、少なくともライター或はマッチ等の灯火具と香材を出入れ自在に収納したことを特徴とするものである。
【０００７】
本考案は、陶器、磁器、金属器又は耐熱プラスチック等の耐熱性素材で形成した香立て、或は、香皿を、前記ケースに収納して構成してもよい。また、コーン型香材を、これに合致するコーンカップ形状に成形された硬質のカップ材を被装して前記ケース内に収納する構成としてもよい。さらに、香材は、柔軟な紙、布、プラスチックフィルムなどにより形成した被包材に包んで前記ケースに収納した構成としてもよい。
【考案の効果】
【０００８】
本考案は、耐熱性素材からなる上下蓋体、或は、筒底を香炉として利用できる。また、ケースの内部には香材と共に灯火具を収納してあるのでライターやマッチ等を探す手間が省け、かつ、香を焚くための道具セットとして嵩張ったり、或は、ばらばらになって紛失してしまうといった不都合を完全に回避できる。
【考案を実施するための最良の形態】
【０００９】
次に、本考案の実施の形態例について図に拠り説明する。図１は本考案携帯用香道具セットを構成する香道具の一例を表す斜視図、図２は筒底を仮想線で表したケース部材の一例の分解斜視図、図３は蓋体を香炉として利用する態様を例示した斜視図、図４及び図５は筒状本体の香炉としての利用態様を例示した斜視図、図６は本考案に係る香皿、香立ての利用例を示した斜視図、図７はコーン型香材とこれに被装する硬質カップ材を例示した斜視図である。
【００１０】
図１において、１はケース部材、２は香材の灯火具たるライター、３は香材であって３１はスティック型の香材、３２はコーン型の香材、４は香皿、５は香立て、６はカップ材、７は被包材を表しており、２〜７に列挙した香道具は全てこの香道具ケース１の内部に収納されている。
【００１１】
ケース部材１は、図２に示すように、上下に開口した筒状本体１１及びこの筒状本体１１に取付可能な上下蓋体１２、１３からなり、筒状本体１１の下端域には稍上げ底状に筒底１４を配設してある。また、この筒状本体１１の形状は円筒形に限らず、三角柱や四角柱などの多角柱として形成することは任意である。
【００１２】
前記上下蓋体１２，１３及び筒底１４は金属製素材からなるため耐熱性を有しており、香を焚く為の香炉として利用可能である。図３は取り外した蓋体１２，１３をそのまま香炉として、図４は筒状本体１１を香炉として利用し香を焚く様子を例示している。また、筒状本体１１には筒底１４が稍上げ底状態に配設されているため、図５に例示するように、筒状本体１１の上下を逆にして香を焚くことも可能である。
【００１３】
なお、図２においては、紙面上方を上、下方を下として表示している。また、筒状本体１１は耐熱性を有するものに限られないが、美観、或は、安全面の問題から蓋体１２，１３等と同じ金属性素材で形成されるのが好ましい。
【００１４】
筒状本体１１は、ライター２をその内部に収納できるよう内寸を設計されている。これにより、本考案香道具セットは灯火具を香材と一体に備えることができ、旅先等において特に非喫煙者がマッチやライターを探すというような煩を強いられることはなくなる。
【００１５】
スティック型香材３１を焚くに際しては、図６に例示するように、香皿４と香立て５を利用することができる。したがって、香皿４及び香立て５は耐熱性を備えることを要し、このため、本実施例においても蓋体１２，１３や筒底１４と同じ金属性素材からなる湾曲した略矩形の板状体、或は、木の葉形状のレリーフとして形成されている。
【００１６】
コーン型香材３２については、ケース１内に収納して持ち運ぶとケース１の内壁や他の香道具と衝突して欠損することがあるため、このコーン形状に合致するコーンカップ形状に成形された硬質のカップ材６の内部に格納した状態で運搬するのが好ましい。これにより、香材３２は硬質部材で被装されて保護されるため、移動に際しても上述の欠損を回避できる。また、被包材７が香道具ケース１に収納される香道具を包み込むことによって、移動時における香道具同士の、或は、ケース１の内壁との衝突を和らげて香材３の欠損を阻止することができる。
【産業上の利用可能性】
【００１７】
本考案は以上の通りであって、耐熱性素材で形成した上下の蓋体、或は、筒底が香炉として機能し、また、ケースの内部には少なくとも香材と灯火具を共に収納してあるので、この結果、香を焚くための香道具セットとして嵩張ったり、或は、ばらばらになって紛失し易いといった不都合についても完全に回避できるという効果があるから、携帯用香道具セットに適用してきわめて有用である。
【図面の簡単な説明】
【００１８】
【図１】本考案携帯用香道具セットを構成する香道具の一例を表す斜視図
【図２】筒底を仮想線で表したケース部材の一例の分解斜視図
【図３】蓋体を香炉として利用する態様を例示した斜視図
【図４】筒状本体の香炉としての利用態様を例示した斜視図
【図５】筒状本体の香炉としての利用態様を例示した斜視図
【図６】本考案に係る香皿、香立ての利用例を示した斜視図
【図７】コーン型香材とこれに被装する硬質カップ材を例示した斜視図
【符号の説明】
【００１９】
１    ケース
１１    筒状本体
１２    上蓋体
１３    下蓋体
１４    筒底
２    ライター
３    香材
３１    スティック型香材
３２    コーン型香材
４    香皿
５    香立て
６    カップ材
７    被包材
【図１】
0003128001.tif 000003
【図２】
0003128001.tif 000004
【図３】
0003128001.tif 000005
【図４】
0003128001.tif 000006
【図５】
0003128001.tif 000007
【図６】
0003128001.tif 000008
【図７】
0003128001.tif 000009